(57)【要約】【課題】安価な測色サービスを提供することにある。これにより一般ユーザが手軽に測色値画像データを得るできるようにする。【解決手段】出力機器選択部５４で出力機器が選択されると、予め色変換パラメータ記憶部に記憶されている出力機器の色変換パラメータが色変換部５８にセットされ、スキャナ部インターフェイスから読み込まれたＲＧＢ値が色変換部５８で測色値に変換され、画像ファイル生成部６０で測色値の画像ファイルが生成され、この画像ファイルが外部メディアインターフェイス５２で記憶媒体に記憶され、あるいはネットワークインターフェイス５０を介してサーバに転送されてユーザに提供される。【選択図】図３
2006086843.tif 000002
【特許請求の範囲】
【請求項１】
特定の出力機器からプリント出力された印刷物をスキャナ部で読み取った場合の色変換パラメータを予め記憶しておき、前記出力機器からプリント出力された原稿を前記スキャナ部で読み取り、この読み取られた原稿データを前記色変換パラメータに基づいて測色値画像データに変換し、この変換された測色値画像データを提供する電子画像データ提供方法。
【請求項２】
複数の出力機器からプリント出力された印刷物をスキャナ部で読み取った場合の複数組の色変換パラメータを予め記憶しておき、前記複数の出力機器中から一つを選択し、この選択された出力機器からプリント出力された原稿を前記スキャナ部で読み取り、この読み取られた原稿データを前記一つの出力機器に対応した色変換パラメータに基づいて測色値画像データに変換し、この変換された測色値画像データを提供する電子画像データ提供方法。
【請求項３】
スキャナ部で原稿を読み取る際に課金する請求項１又は２記載の電子画像データ提供方法。
【請求項４】
色変換パラメータは、出力機器からプリント出力されたテストサンプルを測色し、この測色された第１のデータと、前記スキャナ部で読み取った第２のデータとに基づいて演算されてなる請求項１乃至３いずれか記載の電子画像データ提供方法。
【請求項５】
色変換パラメータの演算は高次の重回帰分析法により行われる請求項４記載の電子画像データ提供方法。
【請求項６】
特定の出力機器からプリント出力された印刷物をスキャナ部で読み取った場合の分光予測用データを予め記憶しておき、前記出力機器からプリント出力された原稿を前記スキャナ部で読み取り、測色条件を選択し、読み取られた原稿データを測色条件と分光予測用データとに基づいて測色値画像データに変換し、この変換された測色値画像データを提供する電子画像データ提供方法。
【請求項７】
複数の出力機器からプリント出力された印刷物をスキャナ部で読み取った場合の複数組の分光予測用データを予め記憶しておき、前記出力機器の一つからプリント出力された原稿を前記スキャナ部で読み取り、前記出力機器の一つを選択し、測色条件を選択し、読み取られた原稿データを測色条件と前記一つの出力機器に対応した分光予測用データとに基づいて測色値画像データに変換し、この変換された測色値画像データを提供する電子画像データ提供方法。
【請求項８】
分光予測用データは、出力機器からプリント出力されたテストサンプルを測色し、この測色された第１のデータの主成分分析を行って主成分ベクトルを抽出し、各主成分に対する重みと前記スキャナ部で読み取った第２のデータとに基づいて演算されてなる請求項６又は７記載の電子画像データ提供方法。
【請求項９】
分光予測用データの演算は高次の重回帰分析法により行われる請求項８記載の電子画像データ提供方法。
【請求項１０】
原稿を読み取るスキャナ部と、特定の出力機器からプリント出力された印刷物を前記スキャナ部で読み取った場合の色変換パラメータを記憶する記憶手段と、前記出力機器からプリント出力されて前記スキャナ部で読み取った原稿データを前記色変換パラメータに基づいて測色値画像データに変換する色変換手段と、この色変換手段により変換された測色値画像データを提供する提供手段とを有する電子画像データ提供システム。
【請求項１１】
原稿を読み取るスキャナ部と、複数の出力機器からプリント出力された印刷物を前記スキャナ部で読み取った場合の複数組の色変換パラメータを記憶する記憶手段と、前記出力機器の一つを選択する選択手段と、前記スキャナ部で読み取った原稿データを、前記記憶手段に記憶され、前記選択手段により選択された出力機器に対応する色変換パラメータに基づいて測色値画像データに変換する色変換手段と、この色変換手段により変換された測色値画像データを提供する提供手段とを有する電子画像データ提供システム。
【請求項１２】
原稿を読み取るスキャナ部と、特定の出力機器からプリント出力された印刷物をスキャナ部で読み取った場合の分光予測用データを記憶する記憶手段と、測色条件を選択する選択手段と、前記出力機器からプリント出力された原稿を読み取られた原稿データを、前記選択手段により選択された測色条件と前記記憶手段に記憶された前記分光予測用データとに基づいて測色値画像データに変換する色変換手段と、この色変換手段により変換された測色値画像データを提供する提供手段とを有する電子画像データ提供システム。
【請求項１３】
原稿を読み取るスキャナ部と、複数の出力機器からプリント出力された印刷物をスキャナ部で読み取った場合の複数組の分光予測用データを記憶する記憶手段と、測色条件を選択する測色条件選択手段と、出力機器を選択する出力機器選択手段と、前記出力機器の一つからプリント出力された原稿を読み取られた原稿データを、前記測色条件選択手段により選択された測色条件と、前記記憶手段に記憶され、前記出力機器選択手段により選択された一つの出力機器に対応する分光予測用データとに基づいて測色値画像データに変換する色変換手段と、この色変換手段により変換された測色値画像データを提供する提供手段とを有する電子画像データ提供システム。
【発明の詳細な説明】
【技術分野】
【０００１】
本発明は、コンビニエンスストア等に設置されたカラー複合機等を利用して電子画像データを提供する方法及び装置に関する。
【背景技術】
【０００２】
出力機器（プリンタ、印刷機、複写機、ファクシミリ等）のプロファイル（色変換特性データ）を得るには、出力機器の内蔵テストパターンを出力して多数のカラーパッチが配置されたカラーテストチャートを印刷し、カラーテストチャートの各カラーパッチを測色する必要がある。したがって、多くの再現色を測色器で一色ずつ測るのは多大な工数が必要である。
そこで、従来においてもスキャナを使った測色が考えられている。ところが、通常用いられるＲＧＢの３チャンネルスキャナでは、測色精度に課題があった。そのため、スキャナを多チャンネル化することで、より高精度に分光特性を推定することが試みられている（例えば特許文献１）。
【０００３】
【特許文献１】特開平０６−３０９４２３号公報
【発明の開示】
【発明が解決しようとする課題】
【０００４】
しかしながら、上記のようにスキャナを多チャンネル化することはハード的に複雑であるばかりでなく、読み取られたデータの扱いも煩雑になってしまので、一般ユーザにとっては扱いずらいという問題があった。
【０００５】
本発明の目的は、安価な測色サービスを提供することにある。これにより一般ユーザが手軽に測色値画像データを得るできるようにする。
【課題を解決するための手段】
【０００６】
本発明は、多店舗に展開しているカラー複合機等を利用する。通常、カラー複合機に設けられたＲＧＢスキャナは分光特性がルーター条件を満たしていないため、読み取られたＲＧＢデータを測色値のＣＩＥＸＹＺデータに変換する場合、単純なマトリクス演算では精度良い測色値は得られない。ただし、特定の３原色の色材を用いた再現色において、予めその色材を使ったサンプルで高次の変換係数を最適化しておけば、良い精度の測色値を得ることができる。しかしながら、この最適化された変換係数も異なる色材を用いた再現色に対しては測色値に予測精度は低下する。
また、特定の色材であれば、予め主成分分析等の方法で固有ベクトルを求めておけば、３チャネルのＲＧＢデータから再現色の分光反射率を推定することもできる。分光反射率が推定できれば、任意の照明条件、観察者条件における測色値を推定することが可能となる。
【０００７】
本発明はこのような考察の基になされたものである。
即ち、本発明の第１の特徴とするところは、特定の出力機器からプリント出力された印刷物をスキャナ部で読み取った場合の色変換パラメータを予め記憶しておき、前記出力機器からプリント出力された原稿を前記スキャナ部で読み取り、この読み取られた原稿データを前記色変換パラメータに基づいて測色値画像データに変換し、この変換された測色値画像データを提供する電子画像データ提供方法にある。したがって、特定の出力機器からプリント出力された印刷物をスキャナ部で読み取った場合の色変換パラメータで原稿を測色値画像データに変換するので、ユーザは、特定の出力機器からプリント出力された原稿を該スキャナ部で読み取らせることにより、高精度の電子画像データを簡単に取得することができる。
【０００８】
本発明の第２の特徴とするところは、複数の出力機器からプリント出力された印刷物をスキャナ部で読み取った場合の複数組の色変換パラメータを予め記憶しておき、前記複数の出力機器中から一つを選択し、この選択された出力機器からプリント出力された原稿を前記スキャナ部で読み取り、この読み取られた原稿データを前記一つの出力機器に対応した色変換パラメータに基づいて測色値画像データに変換し、この変換された測色値画像データを提供する電子画像データ提供方法にある。したがって、選択された出力機器からプリント出力された印刷物をスキャナ部で読み取った場合の色変換パラメータで原稿を測色値画像データに変換するので、ユーザは、自己の出力機器に最適な色変換パラメータをもって変換された測色値画像データを得ることができる。
【０００９】
好ましくは、スキャナ部で原稿を読み取る際に課金する。測色値画像データの出力は付加価値があるので、通常よりも高くしてもよい。
【００１０】
好ましくは、色変換パラメータは、出力機器からプリント出力されたテストサンプルを測色し、この測色された第１のデータと、前記スキャナ部で読み取った第２のデータとに基づいて演算されてなる。さらに好ましくは、色変換パラメータの演算は高次の重回帰分析法により行われる。これにより測色値の予測精度を向上させることができる。
【００１１】
本発明の第３の特徴とするところは、特定の出力機器からプリント出力された印刷物をスキャナ部で読み取った場合の分光予測用データを予め記憶しておき、前記出力機器からプリント出力された原稿を前記スキャナ部で読み取り、測色条件を選択し、読み取られた原稿データを測色条件と分光予測用データとに基づいて測色値画像データに変換し、この変換された測色値画像データを提供する電子画像データ提供方法にある。したがって、読み取られた原稿データを測色条件と分光予測用データとに基づいて測色値画像データに変換するので、ユーザは、測色条件を選択することにより、測色条件にあった測色値画像データを取得することができる。
【００１２】
本発明の第４の特徴とするところは、複数の出力機器からプリント出力された印刷物をスキャナ部で読み取った場合の複数組の分光予測用データを予め記憶しておき、前記出力機器の一つからプリント出力された原稿を前記スキャナ部で読み取り、前記出力機器の一つを選択し、測色条件を選択し、読み取られた原稿データを測色条件と前記一つの出力機器に対応した分光予測用データとに基づいて測色値画像データに変換し、この変換された測色値画像データを提供する電子画像データ提供方法にある。したがって、選択された出力機器からプリント出力された印刷物をスキャナ部で読み取った場合の分光予測用データと、選択された測色条件とに基づいて測色値画像データに変換するので、ユーザは、出力機器と測色条件を選択することにより、出力機器に最適で、しかも測色条件にあった測色値画像データを取得することができる。
【００１３】
好ましくは、分光予測用データは、出力機器からプリント出力されたテストサンプルを測色し、この測色された第１のデータの主成分分析を行って主成分ベクトルを抽出し、各主成分に対する重みと前記スキャナ部で読み取った第２のデータとに基づいて演算されてなる。さらに好ましくは、分光予測用データの演算は高次の重回帰分析法により行われる。
【００１４】
本発明の第５の特徴とするところは、原稿を読み取るスキャナ部と、特定の出力機器からプリント出力された印刷物を前記スキャナ部で読み取った場合の色変換パラメータを記憶する記憶手段と、前記出力機器からプリント出力されて前記スキャナ部で読み取った原稿データを前記色変換パラメータに基づいて測色値画像データに変換する色変換手段と、この色変換手段により変換された測色値画像データを提供する提供手段とを有する電子画像データ提供システムにある。
【００１５】
本発明の第６の特徴とするところは、原稿を読み取るスキャナ部と、複数の出力機器からプリント出力された印刷物を前記スキャナ部で読み取った場合の複数組の色変換パラメータを記憶する記憶手段と、前記出力機器の一つを選択する選択手段と、前記スキャナ部で読み取った原稿データを、前記記憶手段に記憶され、前記選択手段により選択された出力機器に対応する色変換パラメータに基づいて測色値画像データに変換する色変換手段と、この色変換手段により変換された測色値画像データを提供する提供手段とを有する電子画像データ提供システムにある。
【００１６】
本発明の第７の特徴とするところは、原稿を読み取るスキャナ部と、特定の出力機器からプリント出力された印刷物をスキャナ部で読み取った場合の分光予測用データを記憶する記憶手段と、測色条件を選択する選択手段と、前記出力機器からプリント出力された原稿を読み取られた原稿データを、前記選択手段により選択された測色条件と前記記憶手段に記憶された前記分光予測用データとに基づいて測色値画像データに変換する色変換手段と、この色変換手段により変換された測色値画像データを提供する提供手段とを有する電子画像データ提供システムにある。
【００１７】
本発明の第８の特徴とするところは、原稿を読み取るスキャナ部と、複数の出力機器からプリント出力された印刷物をスキャナ部で読み取った場合の複数組の分光予測用データを記憶する記憶手段と、測色条件を選択する測色条件選択手段と、出力機器を選択する出力機器選択手段と、前記出力機器の一つからプリント出力された原稿を読み取られた原稿データを、前記測色条件選択手段により選択された測色条件と、前記記憶手段に記憶され、前記出力機器選択手段により選択された一つの出力機器に対応する分光予測用データとに基づいて測色値画像データに変換する色変換手段と、この色変換手段により変換された測色値画像データを提供する提供手段とを有する電子画像データ提供システムにある。
【発明の効果】
【００１８】
本発明によれば、安価な測色サービスを提供することができ、これにより一般ユーザが手軽に測色値画像データを得ることができる。
【発明を実施するための最良の形態】
【００１９】
次に本発明の実施形態について説明する。
図１において、本発明の第１の実施形態に係る電子画像データ提供システム１０の概要が示されている。ユーザ環境１２には、例えばパーソナルコンピュータ１４と、後述する出力機器Ａとなる出力機器１６とが設置されている。パーソナルコンピュータ１４は、サーバ１８にＬＡＮ（Ｌｏｃａｌ  Ａｒｅａ  Ｎｅｔｗｏｒｋ）やインターネット等の通信手段を介して接続されている。また、例えばコンビニエンスストア等の店舗２０には画像形成システム２２が設置されている。画像形成システム２２は、画像形成装置である例えばカラー複合機２４を有し、このカラー複合機２４にコインキット等と呼ばれる課金装置２６が接続されて構成されている。この店舗２０においては、不特定多数の人が課金装置２６を介して料金を払ってカラー複合機２４を使用する。カラー複合機２４は、入力指示装置を兼ねている表示部２８と、画像を読み取るスキャナ部３０と、画像を出力するプリンタ部３２とを有する。カラー複合機２４は、サーバ１８にＬＡＮやインターネット等の通信手段を介して接続されている。
【００２０】
カラー複合機２４は、コントロールパネルを有する表示部２８と、スキャナ部３０と、プリンタ部３２とを有する。表示部２８は、例えばタッチパネルになっており、表示と入力とを兼ねている。プリンタ部３２は、例えばカラーゼログラフィーエンジンを有し、スキャナ部３０でスキャンされた画像、或いは通信手段を介して送信された画像を用紙に出力する。また、各店舗に設置されたカラー複合機２４は、インターネット等のネットワークを介してサーバ１８に接続されている。
【００２１】
図２において、カラー複合機２４の制御部のハードウエア構成が示されている。カラー複合機２４は、中央演算処理装置（ＣＰＵ）３４、プログラムＲＯＭ３６及びＲＡＭ３８がバス４０に接続されている。また、バス４０には、課金装置インターフェイス４２、表示部インターフェイス４４、スキャナ部インターフェイス４６及びプリンタ部インターフェイス４８及びが接続され、課金装置インターフェイス４２には課金装置２６が、表示部インターフェイス４４には表示部２８が、スキャナ部インターフェイス４６にはスキャナ部３０が、プリンタ部インターフェイス４８にはプリンタ部３２が、それぞれ接続されている。また、バス４０にはネットワークインターフェイス５０が接続され、外部からの信号を受け、外部へ信号を送るようになっている。さらにバス４０には、フレキシブルディスク、コンパクトディスク、ＤＶＤ、ＭＯ等の記憶媒体にデータを書き込むための外部メディアインターフェイス５２が接続されている。
【００２２】
ユーザが電子画像データを得るには、まず自己の出力機器１６でプリント出力された原稿を店舗２０まで持っていき、表示部２８で表示された表示に従って指示し、課金装置２６を介して料金を支払い、カラー複合機２４のスキャナ部３０で読み取り、読み取られた画像データが測色値画像データに変換され、この変換された測色値画像データがサーバ１６に転送されてこのサーバからダウンロードするか、あるいは記憶媒体に記憶されることにより提供される。スキャナ部３０で原稿を読み取る際に課金装置２６を介して課金されるが、測色値画像データの出力は付加価値があるので、通常よりも高く設定されている。
【００２３】
図３において、カラー複合機２４の制御部の主要部分が示されている。出力機器選択部５４は、前述した表示部２０のコントロールパネルに設けられ、複数の出力機器の種類（メーカ名及び機種名により特定され、それぞれ色材が異なる）を選択するものである。色変換パラメータ記憶部５６は、例えばＲＡＭ３８内に設けられ、複数の出力機器に対応する色変換パラメータが記憶されている。なお、この色変換パラメータ記憶部５６に記憶される色変換パラメータの作成方法については後述する。色変換部５８は、スキャナ部３０からスキャナ部インターフェイス４６を介して入力された各画素のＲＧＢデータをＣＩＥＸＹＺ値に変換し、さらにＣＩＥＬＡＢ値に変換し、このＣＩＥＬＡＢ値を規定のレンジで８ビットに量子化する。画像ファイル生成部６０は、各画素８ビット×３チャンネルの画像を既知の画像フォーマットでファイル化する。この画像ファイル生成部６０で生成された画像ファイルは、ネットワークインターフェイス５０を介してサーバ１８に転送され、あるいは外部メディアインターフェイス５２を介して記憶媒体に記憶される。なお、色変換部５８と画像ファイル生成部６０とは、プログラムＲＯＭ３６に記憶されているプログラムにより実現される。
【００２４】
図４において、電子画像データを提供するための制御フローが示されている。
まずステップ１０（Ｓ１０）において、ユーザに原稿が出力された出力機器を選択するよう指示する。出力機器選択部５４により出力機器が指定されると、次のステップ１２（Ｓ１２）において、指定された出力機器に対応した色変換パラメータを色変換パラメータ記憶部５６から読み出し、色変換部５８に設定する。次のステップ１４（Ｓ１４）においては、スキャナ部３０で原稿をスキャンし、ＲＧＢ画像として読込む。次のステップ１６（Ｓ１６）においては、各画素ＲＧＢデータを色変換部５８でＣＩＥＸＹＺ値に変換し、更にＣＩＥＬＡＢ値に変換する。
【００２５】
ＣＩＥＸＹＺ値からＣＩＥＬＡＢ値への変換は周知のように次の式（１）、（２）、（３）に基づいて行われる。
Ｌ*＝１１６（Ｙ／Ｙｎ）１/３−１６・・・・（１）
ａ*＝５００{Ｘ／Ｘｎ）１/３−（Ｙ／Ｙｎ）１/３}・・・・（２）
ｂ*＝２００{Ｙ／Ｙｎ）１/３−（Ｚ／Ｚｎ）１/３}・・・・（３）
ここで、Ｌ*，ａ*，ｂ*はＣＩＥＬＡＢ色空間における３次元直交座標を、Ｘ，Ｙ，Ｚは三刺激値を、Ｘｎ，Ｙｎ，Ｚｎは完全拡散反射面での三刺激値をそれぞれ示す。
なお、各画素ＲＧＢデータを色変換部５８でＣＩＥＸＹＺ値に変換する方法の詳細は後述する。
【００２６】
次のステップ１８（Ｓ１８）においては、ＣＩＥＬＡＢ値を規定のレンジで８ビットに量子化する。次のステップ２０（Ｓ２０）においては、画像ファイル生成部６０により各画素８ビット×３チャンネルの画像を既知の画像フォーマットでファイル化する。次のステップ２２（Ｓ２２）においては、測色値画像データをサーバ１６にネットワークを介して転送する。次のステップ２４（Ｓ２４）においては、ダウンロード用のＵＲＬ、ユーザＩＤ及びパスワードをプリンタ部３２でプリント出力し、ユーザへ通知する。ユーザは、サーバ１６にアクセスすることにより測色値画像データを得ることができる。
【００２７】
次に各画素ＲＧＢデータをＣＩＥＸＹＺ値に変換する方法ついて説明する。
まず図５に基づいて色変換パラメータを求める方法について説明する。
印刷物６２ａは、出力機器Ａで出力されたカラーテストチャートであり、ステップ２６（Ｓ２６）で各パッチを測色器で測色し、各色のＣＩＥＸＹＺを測定する。次にステップ２８（Ｓ２８）において、ＸＹＺ値をスキャナ部読み取り値の対応関係を重回帰分析でモデル化する。
ここで、例えば次の重回帰式を用いる。
Ｔ＝Ａ・Ｒ＋Ｅ・・・・（４）
Ｔはステップ２６で測定した三刺激値ＸＹＺで構成される３×Ｍ（Ｍは測定パッチ数）の行列、Ｒはスキャナ部３０で読み取ったＲＧＢ値で構成される行列、Ｅは予測残差の行列である。最小二乗法により予測残差Ｅの二乗和を最小とする解Ａを求めれば出力機器Ａで出力された印刷物の三刺激値ＸＹＺとスキャナ部３０で読み取ったＲＧＢ値との関係をモデル化することができる。
（４）式を用いるにあたって、行列Ｒのｉ列に例えば次のような高次の項を用いる。
ｒｉ＝（１，Ｒｉ，Ｇｉ，Ｂｉ，Ｒｉ２，Ｇｉ２，Ｂｉ２，ＲｉＧｉ，ＧｉＢｉ，ＢｉＲｉ）・・・（５）
【００２８】
次のステップ３０（Ｓ３０）においては、上記のようにして求めた重回帰モデルを出力機器Ａ用の色変換パラメータとして前述した色変換パラメータ記憶部５６に保持しておく。
そして、このようなステップ２６〜ステップ３０の処理を他の出力機器Ｂ、Ｃ・・・から出力された印刷物６２ｂ、６２ｃ・・・に対しても実施し、同様に予め重回帰モデルを求めておき、下記機器に対応付けて色変換パラメータを色変換パラメータ記憶部５６に保持しておくものである。
【００２９】
次に図６に基づいてスキャン時に出力機器Ａが指定された場合の処理について説明する。
前述した色変換部５８は、ＣＩＥＸＹＺ変換部５８ａとＣＩＥＬＡＢ変換部５８ｂとを有している。出力機器Ａが指定されると、色変換パラメータ記憶部５６に記憶されている出力機器Ａ用の色変換パラメータが読み出され、ＣＩＥＸＹＺ変換部５８ａにセットされる。スキャナ部３０で読み込まれた各画素のＲＧＢ値がＣＩＥＸＹＺ変換部５８ａに入力されると、出力機器Ａ用の色変換パラメータがセットされた重回帰モデルで各画素毎にＲＧＢ値をＣＩＥＸＹＺ値に変換する。このＣＩＥＬＡＢ変換部５８ａで変換されたＣＩＥＸＹＺ値は、さらにＣＩＥＬＡＢ変換部５８ｂでＣＩＥＬＡＢ値に変換されるものである。
前述した式（５）を用いて解かれた高次の重回帰モデルを用いることによりＲＧＢ３チャンネルのスキャナ部３０を用いても精度の良い測色値を得ることができる。
なお、必ずしもＣＩＥＬＡＢ値に変換する必要はなく、例えばＬＣＨ等の他の測色値データに変換してもよい。
【００３０】
図７乃至図９において、本発明に係る第２の実施形態が示されている。
前述した第１の実施形態が出力機器から出力された原稿画像をそのまま測色値データに変換するサービスを行うようにしたのに対し、この第２の実施形態は、出力機器から出力された原稿画像の分光反射率を予測し、任意の照明条件、観察者条件における測色値データを提供するようにしたものである。
【００３１】
即ち、図７に示すように、測色条件選択部６４は、前述した出力機器選択部５４と同様にコントロールパネルに設けられ、測色条件（照明や等色関数）を選択できるようになっている。分光予測用データ記憶部６６は、例えばＲＡＭ３８内に設けられ、出力機器選択部５４で選択された出力機器に対応した分光予測データが記憶されている。分光反射率予測部６８は、スキャナ部インターフェイス４６を介して入力された各画素のＲＧＢデータの分光反射率を予測する。測色条件パラメータ記憶部７０は、例えばＲＡＭ内に設けられ、測色条件選択部６４で選択された測色条件に対応したパラメータを記憶する。測色値算出部７２は、分光反射率予測部６８で予測された分光反射率データと測色条件パラメータ記憶部７０に記憶された測色条件パラメータとにより測色値を算出する。画像ファイル生成部６０は、各画素の予測された測色値を既知の画像フォーマットでファイル化する。この画像ファイル生成部６０で生成された画像ファイルは、ネットワークインターフェイス５０を介してサーバ１８に転送され、あるいは外部メディアインターフェイス５２を介して記憶媒体に記憶される。なお、分光反射率予測部６８、測色値算出部７２及び画像ファイル生成部６０は、プログラムＲＯＭ３６に記憶されているプログラムにより実現される。
【００３２】
図８に示すように、分光反射率予測用データは、まずステップ３２（Ｓ３２）において、出力機器Ａで出力された印刷物６２ａの各パッチを測色器で測色し、各色の分光濃度を測定する。なお、分光濃度Ｓｄは、分光反射率Ｓｔに対して、Ｓｄ＝−ｌｏｇＳｔで示される。次にステップ３４（Ｓ３４）において、各パッチの分光濃度に対して主成分分析を行い、主成分ベクトルを抽出する。次のステップ３６（Ｓ３６）においては、各主成分に対する重みとスキャナ部読み値の対応関係を重回帰分析法でモデル化する。そして、次のステップ３８（Ｓ３８）でステップ３４で抽出した主成分ベクトルとステップ３６でモデル化した重回帰モデルとを出力機器Ａ用の分光反射率予測データとして前述した分光予測用データ記憶部６６に保持する。そして、このようなステップ３２〜ステップ３６の処理を他の出力機器Ｂ、Ｃ・・・から出力された印刷物６２ｂ、６２ｃ・・・に対しても実施し、同様に予め主成分ベクトルと重回帰モデルを求めておき、各出力機器に対応付けて主成分ベクトルと重回帰モデルを分光予測用データ記憶部６６に記憶させておくものである。
【００３３】
次に図９に基づいてスキャン時に出力機器Ａが指定された場合の処理について説明する。
前述した分光反射率予測部６８は、重みデータ変換部６８ａと重み付け部６８ｂとを有している。出力機器Ａが指定されると、分光予測用データ記憶部６６に記憶されている出力機器Ａ用の主成分ベクトルと重回帰モデルとが読み出され、重みデータ変換部６８ではスキャナ部ＲＧＢ値を重みデータに変換する。重み付け部６８ｂでは、各主成分ベクトルに重みをつけて、分光反射率を予測する。一方、測色条件が指定されると、指定された測色条件に対応した測色条件パラメータが測色条件パラメータ記憶部７０から読み出す。そして、測色値算出部７２においては、分光反射率予測部６８で予測された出力機器Ａの分光反射率データと測色条件パラメータ記憶部７０から読み出された測色条件パラメータとにより測色値が算出されるものである。
【００３４】
図１０において、本発明の第３の実施形態が示されている。前述した第１の実施形態と第２の実施形態とが原稿画像の各画素に対する測色値データを提供したのに対し、この第３の実施形態においては、プロファイル作成用の測色値データを提供するものである。
【００３５】
即ち、この第３の実施形態においては、第２の実施形態に対して、測色領域抽出部７４を有する点を異にしている。この測色領域抽出部７４は、スキャナ部インターフェイス４６を介してスキャナ部３０から入力されたカラーテストチャートのカラーパッチ領域を抽出する。カラーテストチャートは、例えば出力機器Ａから出力されたものである。出力機器選択部５４で出力機器Ａを選択し、測定条件選択部６４で測定条件を選択すると、出力機器Ａに対応した分光反射率予測データが分光反射率予測データ記憶部６６から読み出されて分光反射率予測部６８にセットされ、測定条件に対応した測定条件パラメータが測定条件パラメータ記憶部７０から読み出され、カラーテストチャートをスキャナ部３０でスキャンすると、測色領域抽出部７４で各カラーパッチ領域が抽出され、分光反射率予測部６８で各カラーパッチの予測された分光反射率データが生成され、この予測された分光反射率データと測色条件パラメータとにより測色値算出部で各カラーパッチの測色値が算出され、測色値データファイル生成部７６で所定のフォーマットにフォーマット化された各パッチの測色値データのファイルが生成される。生成された各パッチの測色値データファイルは、ネットワークインターフェイス５０を介してサーバ１８に転送され、あるいは外部メディアインターフェイス５２を介して記憶媒体に記憶されてユーザに提供される。出力機器の出力状態は日々変化するので、出力状態の変化によりプロファイルを補正したり、或いは測色条件が異なった場合のプロファイルが必要となるといった要望に答えることができるものである。
【産業上の利用可能性】
【００３６】
以上述べたように、本発明は、コンビニエンスストア等を利用して安価に測色サービスを提供するシステムに利用することができる。なお、測色値データは、プロファイル作成のためだけではなく、色彩の勉強をしている人への教材として提供したり、カラープリンタのメンテナンスをする人へメンテナンス補完データとして提供する等、汎用的に利用可能なものである。
【図面の簡単な説明】
【００３７】
【図１】本発明の第１の実施形態に係る電子画像データ提供システムを示す構成図である。
【図２】本発明の第１の実施形態に用いたカラー複合機のハードウエア構成を示すブロック図である。
【図３】本発明の第１の実施形態におけるカラー複合機の制御部の構成を示すブロック図である。
【図４】本発明の第１の実施形態における電子画像データ提供方法を示すフローチャートである。
【図５】本発明の第１の実施形態における色変換パラメータを求める方法を示すフローチャートである。
【図６】本発明の第１の実施形態においてスキャン時に出力機器Ａが指定された場合の処理を示すブロック図である。
【図７】本発明の第２の実施形態におけるカラー複合機の制御部の構成を示すブロック図である。
【図８】本発明の第２の実施形態における分光反射率予測用データを求める方法を示すフローチャートである。
【図９】本発明の第２の実施形態においてスキャン時に出力機器Ａが指定された場合の処理を示すブロック図である。
【図１０】本発明の第３の実施形態におけるカラー複合機の制御部の構成を示すブロック図である。
【符号の説明】
【００３８】
１０  電子画像データ提供システム
２４  画像形成システム
２６  課金装置
２８  表示部
３０  スキャナ部
３２  プリンタ部
５４  出力機器選択部
５６  色変換パラメータ記憶部
５８  色変換部
６０  画像ファイル生成部
６４  測色条件選択部
６６  分光反射率予測用データ記憶部
６８  分光反射率予測部
７０  測色条件パラメータ記憶部
７２  測色値算出部
【図１】
2006086843.tif 000003
【図２】
2006086843.tif 000004
【図３】
2006086843.tif 000005
【図４】
2006086843.tif 000006
【図５】
2006086843.tif 000007
【図６】
2006086843.tif 000008
【図７】
2006086843.tif 000009
【図８】
2006086843.tif 000010
【図９】
2006086843.tif 000011
【図１０】
2006086843.tif 000012